(57)【要約】  本発明の実施例は、周波数リソースを決定するための方法及び装置を開示する。方法は、まず、ユーザ装置（UE）により、パワーヘッドルーム報告を決定するステップと、その後に、UEにより、ランダムアクセスプロセス内でパワーヘッドルーム報告（PHR）を基地局に送出するステップであり、パワーヘッドルーム報告は、UEにより基地局に送出されたメッセージ３（Message  3）の関係する情報セグメントにより搬送され得るステップとを含む。本発明において提供される解決策によれば、基地局は、UEが現在の上りリンクデータ送信を実行するときに、スケジューリング設定を実行するための基礎を適時に取得でき、UEのための電力制御及びスケジューリング情報をより正確に設定できる。これは、UEの上りリンク送信能力を超えるチャネルをUEに割り当てるのを回避し、それにより、上りリンク帯域幅の浪費を回避する。
2019501600.tif 000002
【特許請求の範囲】
【請求項１】
パワーヘッドルーム報告（PHR）を指示するように構成されたユーザ装置（UE）であり、プロセッサと送信機とを含むユーザ装置であって、
前記プロセッサは、パワーヘッドルーム報告を決定するように構成され、
前記送信機は、ランダムアクセスプロセス内で第１のメッセージを基地局に送出するように構成され、前記第１のメッセージは、情報セグメントを含み、前記情報セグメントは、前記パワーヘッドルーム報告を指示するために使用され、前記情報セグメントは、１つ以上の情報ビットを含むユーザ装置。
【請求項２】
前記第１のメッセージは、前記ランダムアクセスプロセス内のメッセージ３（message  3）であり、message  3は、前記UEと前記基地局との間に無線リソース制御（RRC）接続を確立するために使用される、請求項１に記載のユーザ装置。
【請求項３】
パワーヘッドルーム報告（PHR）を指示するように構成されたユーザ装置（UE）であり、プロセッサと送信機とを含むユーザ装置であって、
前記プロセッサは、パワーヘッドルーム報告を決定するように構成され、
前記送信機は、上りリンクチャネルで第１のメッセージを基地局に送出するように構成され、前記第１のメッセージは、情報セグメントを含み、前記情報セグメントは、前記パワーヘッドルーム報告を指示するために使用され、前記情報セグメントは、１つ以上の情報ビットを含むユーザ装置。
【請求項４】
前記パワーヘッドルーム報告は、前記プロセッサにより推定された上りリンク電力と、前記プロセッサにより決定された前記UEの最大電力との間の差分値を含む、請求項１乃至３のうちいずれか１項に記載のユーザ装置。
【請求項５】
前記パワーヘッドルーム報告は、前記UEによりサポートされる最大サブキャリア数、サブキャリア数集合又は前記サブキャリア数集合内のいずれかの値を含む、請求項１乃至３のうちいずれか１項に記載のユーザ装置。
【請求項６】
前記情報セグメントが前記パワーヘッドルーム報告を指示するために使用されることは、
前記情報セグメントが第１の状態を決定するために使用され、前記第１の状態は、前記UEに対して前記パワーヘッドルーム報告を前記基地局に送出するように命令するために使用され、
前記UEが、前記第１の状態の指示に従って第２のメッセージを前記基地局に送出し、前記第２のメッセージは、前記パワーヘッドルーム報告を含む
ことを具体的に含む、請求項１乃至５のうちいずれか１項に記載のユーザ装置。
【請求項７】
前記ランダムアクセスプロセス内で前記第１のメッセージを前記基地局に送出する前に、前記送信機は、ランダムアクセスプリアンブル系列を前記基地局に送出するように更に構成される、請求項１、２、４、５又は６のうちいずれか１項に記載のユーザ装置。
【請求項８】
前記第１のメッセージは、ランダムアクセスプリアンブル系列である、請求項１に記載のユーザ装置。
【請求項９】
前記情報セグメントは、第２の状態を決定するために使用され、前記第２の状態は、前記UEに対して前記パワーヘッドルーム報告を前記基地局に送出するように命令するために使用され、
前記プロセッサは、前記第２の状態の指示に従って第３のメッセージを前記基地局に送出し、前記第３のメッセージは、前記パワーヘッドルーム報告を含む、請求項８に記載のユーザ装置。
【請求項１０】
パワーヘッドルーム報告（PHR）を受信するように構成された基地局であり、受信機とプロセッサとを含む基地局であって、
前記受信機は、ユーザ装置により送出された第１のメッセージを受信するように構成され、
前記プロセッサは、パワーヘッドルーム報告を取得するために、前記第１のメッセージを解析するように構成され、
前記プロセッサは、前記パワーヘッドルーム報告に従って前記ユーザ装置のスケジューリング情報又は電力制御情報を決定するように更に構成される基地局。
【請求項１１】
パワーヘッドルーム報告（PHR）を指示するための方法であり、狭帯域のモノのインターネット（NB-IoT）システムにおいて使用される方法であって、
ユーザ装置UEにより、パワーヘッドルーム報告を決定するステップと、
前記UEにより、ランダムアクセスプロセス内で第１のメッセージを基地局に送出するステップであり、前記第１のメッセージは、情報セグメントを含み、前記情報セグメントは、前記パワーヘッドルーム報告を指示するために使用され、前記情報セグメントは、１つ以上の情報ビットを含むステップと
を含む方法。
【請求項１２】
前記第１のメッセージは、前記ランダムアクセスプロセス内のメッセージ３（message  3）であり、message  3は、前記UEと前記基地局との間に無線リソース制御（RRC）接続を確立するために使用される、請求項１１に記載の方法。
【請求項１３】
パワーヘッドルーム報告（PHR）を指示するための方法であり、狭帯域のモノのインターネット（NB-IoT）システムにおいて使用される方法であって、
ユーザ装置UEにより、パワーヘッドルーム報告を決定するステップと、
前記UEにより、上りリンクチャネルで第１のメッセージを基地局に送出するステップであり、前記第１のメッセージは、情報セグメントを含み、前記情報セグメントは、前記パワーヘッドルーム報告を指示するために使用され、前記情報セグメントは、１つ以上の情報ビットを含むステップと
を含む方法。
【請求項１４】
前記パワーヘッドルーム報告は、前記UEにより推定された上りリンク電力と、前記UEの最大電力との間の差分値を含む、請求項１１乃至１３のうちいずれか１項に記載の方法。
【請求項１５】
前記パワーヘッドルーム報告は、前記UEによりサポートされる最大サブキャリア数、サブキャリア数集合又は前記サブキャリア数集合内のいずれかの値を含む、請求項１１乃至１３のうちいずれか１項に記載の方法。
【請求項１６】
前記情報セグメントが前記パワーヘッドルーム報告を指示するために使用されることは、
前記情報セグメントが第１の状態を決定するために使用され、前記第１の状態は、前記UEに対して前記パワーヘッドルーム報告を前記基地局に送出するように命令するために使用され、
前記UEが、前記第１の状態の指示に従って第２のメッセージを前記基地局に送出し、前記第２のメッセージは、前記パワーヘッドルーム報告を含む
ことを具体的に含む、請求項１１乃至１５のうちいずれか１項に記載の方法。
【請求項１７】
前記UEにより、ランダムアクセスプロセス内で第１のメッセージを基地局に送出する前に、
前記UEにより、ランダムアクセスプリアンブル系列を前記基地局に送出するステップを更に含む、請求項１１、１２、１４、１５又は１６のうちいずれか１項に記載の方法。
【請求項１８】
前記第１のメッセージは、ランダムアクセスプリアンブル系列である、請求項１１に記載の方法。
【請求項１９】
前記情報セグメントは、第２の状態を決定するために使用され、前記第２の状態は、前記UEに対して前記パワーヘッドルーム報告を前記基地局に送出するように命令するために使用され、
前記UEは、前記第２の状態の指示に従ってメッセージ３を前記基地局に送出し、前記メッセージ３は、前記パワーヘッドルーム報告を含む、請求項１８に記載の方法。
【請求項２０】
パワーヘッドルーム報告（PHR）を指示するための方法であり、狭帯域のモノのインターネット（NB-IoT）システムにおいて使用される方法であって、
基地局により、ユーザ装置UEにより送出された第１のメッセージを受信するステップと、
前記基地局により、パワーヘッドルーム報告を取得するために、前記第１のメッセージを解析するステップと、
前記基地局により、前記パワーヘッドルーム報告に従って前記UEのスケジューリング情報又は電力制御情報を決定するステップと
を含む方法。
【請求項２１】
請求項１乃至９のうちいずれか１項に記載のユーザ装置UEと、請求項１０に記載の基地局とを含む狭帯域のモノのインターネット（NB-IoT）通信システム。
【発明の詳細な説明】
【技術分野】
【０００１】
本発明は、移動通信技術の分野に関し、具体的には、パワーヘッドルーム報告を指示するための方法及び装置に関する。
【背景技術】
【０００２】
モノのインターネット（Internet  of  things,  略称：IoT）は、「接続されたモノのインターネット」である。IoTは、インターネットのユーザ側を任意の物体に拡張し、それにより、情報交換及び通信が任意の物体とその他のものとの間で実行できる。このような通信方式はまた、マシンタイプ通信（Machine  type  communications,  略称：MTC）とも呼ばれ、通信ノードは、MTC端末と呼ばれる。モノのインターネットの典型的な適用シナリオは、スマートメータリング、スマートホーム等を含む。モノのインターネットは、複数のシナリオ、例えば、屋外／屋内シナリオ及び地上／地下シナリオに適用される必要がある。したがって、多くの特別な要件、例えば、カバレッジ拡張、多数の低レートデバイスのサポート、低コスト及び低エネルギー消費が、モノのインターネットの設計に課される。これらの特別な要件を満たすために、セルラネットワークにおいて極めて低複雑度及び低コストのモノのインターネットをサポートするための方法を研究するための新たな研究プロジェクトが3GPP  GERANの第62回会合で承認された。その比較的低コスト及び優れたカバレッジ拡張能力により、狭帯域のモノのインターネット（narrowband  IoT,  NB-IoT）解決策が3GPP  RANの第69回会合で承認され、R13リリースにおいて標準化されている。
【０００３】
既存のロングタームエボリューション（Long  Term  Evolution,  LTE）通信システムでは、ユーザ装置（user  equipment,  UE）及び基地局（eNodeB）は、互いに頻繁に通信し、ユーザ装置は、パワーヘッドルーム報告を基地局に周期的に報告し、基地局は、ユーザ装置により報告されたパワーヘッドルーム報告を重要な基礎として電力制御及びスケジューリングを実行する。しかし、NB-IoTシステムでは、ユーザ装置はより少ないサービスを有するため、LTEにおける既存のパワーヘッドルーム報告送信機構が再利用された場合、基地局は、ユーザ装置により実行される現在の上りリンクデータ送信のためのパワーヘッドルーム報告（power  headroom  report,  RHR）を取得できず、したがって、ユーザ装置の現在の上りリンクデータ送信のためのスケジューリング及び電力制御を実行できない。
【発明の概要】
【０００４】
本発明の実施例は、NB-IoTシステムにおける基地局がユーザ装置のパワーヘッドルーム報告を適時に取得できず、したがって、ユーザ装置のためのスケジューリング情報又は電力制御情報を正確に設定できないという問題を解決するための、パワーヘッドルーム報告を指示するための方法及び装置を開示する。
【０００５】
一態様によれば、この出願の実施例は、パワーヘッドルーム報告（PHR）を指示するための方法を提供し、方法は、主に狭帯域のモノのインターネット（NB-IoT）システムにおいて使用され、方法は、まず、ユーザ装置（UE）により、パワーヘッドルーム報告を決定するステップと、その後に、UEにより、ランダムアクセスプロセス内でパワーヘッドルーム報告（PHR）を基地局に送出するステップであり、パワーヘッドルーム報告は、UEにより基地局に送出されたメッセージ（第１のメッセージ）の関係する情報セグメントにより搬送され得るステップとを含む。
【０００６】
可能な設計では、UEは、PHRをランダムアクセスプロセス内のメッセージ３（message  3）に追加し、message  3は、UEにより基地局への無線リソース制御（RRC）接続を確立するために使用される。
【０００７】
可能な設計では、パワーヘッドルーム報告は、UEにより推定された上りリンク電力とUEの最大電力との間の差分値を含む。
【０００８】
可能な設計では、パワーヘッドルーム報告は、UEによりサポートされる最大サブキャリア数、サブキャリア数集合又はサブキャリア数集合内のいずれかの値でもよい。送出される必要がある情報のビット数は、サブキャリア数集合を指示することにより低減され得る。例えば、サポートされるサブキャリア数の集合が{1,3,6,12}であり、端末によりサポートできるサブキャリア数を示すために２ビットのみが必要になる。
【０００９】
可能な設計では、情報セグメントは、UEに対してパワーヘッドルーム報告を基地局に送出するように命令するために使用される状態又は指示を決定するために使用される。UEは、状態又は指示に従って第２のメッセージを基地局に送出し、第２のメッセージは、パワーヘッドルーム報告を含む。
【００１０】
可能な設計では、UEがランダムアクセスプロセス内のメッセージ３内で第１のメッセージを基地局に送出する前に、UEは、ランダムアクセスプリアンブル系列を基地局に送出する。
【００１１】
可能な設計では、第１のメッセージは、ランダムアクセスプリアンブル系列である。
【００１２】
可能な設計では、情報セグメントは、UEに対してパワーヘッドルーム報告を基地局に送出するように命令するために使用される他の状態又は指示（第２の状態）を決定するために更に使用されてもよい。UEは、第２の状態の指示に従って第３のメッセージを基地局に送出し、第３のメッセージは、パワーヘッドルーム報告を含む。
【００１３】
他の態様によれば、本発明の実施例は、パワーヘッドルーム報告（PHR）を受信するための方法を提供し、方法は、主に狭帯域のモノのインターネット（NB-IoT）システムにおいて使用され、基地局により、UEにより送出されたメッセージを受信するステップであり、メッセージは、パワーヘッドルーム報告情報を搬送し、パワーヘッドルーム報告情報は、ランダムアクセスプロセス内でUEにより基地局に送出されたメッセージ３内で搬送され得るステップと、UEにより送出されたメッセージを受信した後に、基地局により、パワーヘッドルーム報告を取得するためにメッセージを解析するステップと、基地局により、解析によって取得されたパワーヘッドルーム報告に基づいてUEのスケジューリング情報又は電力制御情報を決定するステップとを含む。
【００１４】
更に他の態様によれば、本発明の実施例は、UEを提供し、UEは、前述の方法の設計におけるUEの動作を実現する機能を有する。機能は、ハードウェアにより実現されてもよく、或いは対応するソフトウェアを実行することによりハードウェアにより実現されてもよい。ハードウェア又はソフトウェアは、前述の機能に対応する１つ以上のモジュールを含む。モジュールは、ソフトウェア及び／又はハードウェアでもよい。
【００１５】
可能な設計では、UEの構成は、受信機とプロセッサとを含む。プロセッサは、パワーヘッドルーム報告を決定するように構成され、送信機は、ランダムアクセスプロセス内のメッセージ３内でメッセージを基地局に送出するように構成され、メッセージは、パワーヘッドルーム報告を搬送し、パワーヘッドルーム報告は、UEにより基地局に送出されたメッセージ（例えば、message  3）の関係する情報セグメントにより搬送され得る。
【００１６】
更に他の態様によれば、本発明の実施例は、基地局を提供し、基地局は、前述の方法の設計における基地局の動作を実現する機能を有する。機能は、ハードウェアにより実現されてもよく、或いは対応するソフトウェアを実行することによりハードウェアにより実現されてもよい。ハードウェア又はソフトウェアは、前述の機能に対応する１つ以上のモジュールを含む。
【００１７】
可能な設計では、基地局の構成は、プロセッサと送信機とを含む。受信機は、ユーザ装置により送出されたメッセージを受信するように構成され、メッセージは、パワーヘッドルーム報告情報を搬送し、パワーヘッドルーム報告情報は、UEにより基地局に送出されたmessage  3内で搬送されてもよく、プロセッサは、パワーヘッドルーム報告を取得するためにメッセージを解析し、解析によって取得されたパワーヘッドルーム報告に基づいてUEのスケジューリング情報又は電力制御情報を決定する。
【００１８】
更に他の態様によれば、本発明の実施例は、通信システムを提供し、システムは、前述の態様に記載の基地局及びUEを含むか、或いはシステムは、他のネットワークエンティティを含んでもよい。
【００１９】
更に他の態様によれば、本発明の実施例は、前述のUEにより使用されるコンピュータソフトウェア命令を記憶するように構成されたコンピュータ記憶媒体を提供し、コンピュータ記憶媒体は、前述の態様を実行するように設計されたプログラムを含む。
【００２０】
従来技術に比べて、本発明において提供される解決策では、基地局は、UEが現在の上りリンクデータ送信を実行するときに、スケジューリング設定を実行するための基礎を適時に取得でき、UEのための電力制御及びスケジューリング情報をより正確に設定できる。これは、UEの上りリンク送信能力を超えるチャネルをUEに割り当てるのを回避し、それにより、上りリンク帯域幅の浪費を回避する。
【図面の簡単な説明】
【００２１】
本発明の実施例又は従来技術における技術的解決策をより明確に説明するために、以下に、実施例又は従来技術を説明するために必要な添付図面を簡単に説明する。明らかに、以下の説明における添付図面は、単に本発明のいくつかの実施例を示しているに過ぎず、当業者は、創造的取り組みなしにこれらの添付図面から他の実現方式を導くことができる。全てのこれらの実施例又は実現方式は、本発明の保護範囲内に入る。
【図１】本発明に従ってパワーヘッドルーム報告を指示するための方法のフローチャートである。
【図２】本発明を実現する基地局の概略構成図である。
【図３】本発明を実現するUEの概略構成図である。
【発明を実施するための形態】
【００２２】
以下に、添付図面を参照して本発明の実施例による技術的解決策を明確且つ完全に説明する。明らかに、説明する実施例は、本発明の実施例の単なる一部であり、全部ではない。創造的取り組みなしに本発明の実施例に基づいて当業者により取得される全ての他の実施例は、本発明の保護範囲内に入るものとする。
【００２３】
本発明の実施例に記載のネットワークアーキテクチャ及びサービスシナリオは、本発明の実施例における技術的解決策をより明確に説明するために使用され、本発明の実施例において提供される技術的解決策を限定することを意図するものではない。当業者は、ネットワークアーキテクチャの進化及び新たなサービスシナリオの出現とともに、本発明の実施例において提供される技術的解決策がまた同様の技術的課題にも適用可能であることを理解し得る。
【００２４】
この出願において、「ネットワーク」及び「システム」という用語は、通常では区別なく使用されるが、それらの意味は、当業者により理解され得る。この出願におけるユーザ装置UEは、様々なハンドヘルドデバイス、車載デバイス、ウェアラブルデバイス、又は無線通信機能を有するコンピューティングデバイス、又は無線モデムに接続された他の処理デバイス、及び様々な形式のユーザ装置（UE）、移動局（mobile  station,  略称：MS）、端末（terminal）、端末装置（terminal  equipment）等を含んでもよい。説明を簡単にするために、この出願において、前述の全てのデバイスは、ユーザ装置又はUEと呼ばれる。本発明における基地局（base  station,  略称：BS）は、UEのための無線通信機能を提供するために無線アクセスネットワークに配置された装置である。基地局は、様々な形式のマクロ基地局、マイクロ基地局、中継ノード、アクセスポイント等を含んでもよい。異なる無線アクセス技術を使用したシステムでは、基地局機能を有するデバイスは異なる名前を有してもよい。例えば、基地局機能を有するデバイスは、LTEネットワークにおいて進化型ノードB（evolved  NodeB,  略称：eNB又はeNodeB）と呼ばれ、第３世代3GネットワークにおいてノードB（Node  B）と呼ばれ、その他同様である。説明を簡単にするために、この出願において、UEのための無線通信機能を提供する全ての前述の装置は、基地局又はBSと呼ばれる。
【００２５】
LTEでは、ユーザ装置（UE）は、上りリンク方向にパワーヘッドルーム報告（PHR）を基地局に送出し、それにより、基地局は、PHRに基づいてUEのためのスケジューリング及び電力制御を実行する。UEは、周期的にPHRを基地局に報告してもよく、或いは特定の条件が満たされたときにPHRを報告してもよく、例えば、パスロスの変化が指定された閾値を超えたときにPHRを基地局に報告してもよい。基地局は、シグナリングオーバーヘッドを低減するために、PHRの最小報告周期を更に設定してもよく、PHRは、通常ではUEの上りリンクデータと共に送出される。UEにより報告されるPHRは、基地局により上りリンクスケジューリングを実行するための重要な基礎である。基地局は、UEの上りリンク送信能力を超えるチャネルをUEに割り当てるのを回避でき、それにより、上りリンク帯域幅の浪費を回避できる。
【００２６】
NB-IoTシステムでは、UEは小さいサービスボリュームを有するため、UEは、通常ではUEが立ち上がる毎に１回のみ上りリンクデータを送出し、比較的長い時間間隔の後に、次回上りリンクデータを送出し始める。例えば、スマートメータのようなユーザ装置は、通常では毎月又は更に長い時間に１回上りリンクデータを送出してもよい。この場合、LTEにおけるPHRトリガー条件及びPHR送出方法が再利用された場合、すなわち、NB-IoT端末が現在のデータ内でPHRを送出した場合、基地局は、UEのための現在の電力制御及びスケジューリングのために事前にPHRを取得せず、UEの現在の上りリンク送信のための電力制御及びスケジューリングを実行できない。しかし、比較的長い時間間隔のため、UEが次回立ち上がって上りリンクデータを基地局に送出するときに取得されるPHRは、基地局により電力制御及びスケジューリングを実行するために使用できず、基地局は、上りリンクデータスケジューリングのための他の対応する補助情報を欠いている。
【００２７】
したがって、図１に示すように、本発明の実施例に従ってPHRを指示するための方法は、NB-IoTシステムに適用されてもよい。この方法は、LTEにおける基地局がPHRを適時に取得できず、次に、UEのための電力制御及びスケジューリングを実行できないという問題を解決できる。以下に、図１を参照して本発明のこの実施例において提供される解決策を詳細に説明する。本発明のこの実施例における方法は、基地局及びUEにより実行され、基地局側及びUE側のいずれかに対して独立した技術的解決策を構成してもよい。
【００２８】
S101.UEは、ランダムアクセスプリアンブル系列を基地局に送出する。
【００２９】
UEのランダムアクセスプロセスは、一般的に競合型ランダムアクセスプロセス又は競合無しランダムアクセスプロセスでもよい。
【００３０】
競合型ランダムアクセスプロセスでは、UEは、プリアンブル系列をランダムに選択し、RACHチャネル上でプリアンブル系列を送出する。競合無しランダムアクセスプロセスでは、アクセス中に、UEは、eNodeBにより提供された特定のプリアンブル系列及びPRACHリソースを使用し、したがって、他のUEと競合せず、それにより、アクセス成功率を確保する。
【００３１】
S102.UEにより送出されたランダムアクセスプリアンブル系列を受信した後に、基地局は、下りリンク方向にランダムアクセス応答をUEに送出する。ランダムアクセス応答は、通常では以下の情報、すなわち、
−プリアンブル系列番号、
−タイミング調整情報、及び
−UEに割り当てられた上りリンクリソースの位置指示情報
を含む。
【００３２】
競合型ランダムアクセスプロセスでは、ランダムアクセス応答は、一時的に割り当てられたセル無線ネットワーク一時識別子（cell  radio  network  temporary  identifier,  C-RNTI）情報を更に含んでもよい。
【００３３】
S103.ランダムアクセス応答を受信した後に、UEは、基地局によりUEに割り当てられた上りリンクリソース上で上りリンクメッセージを送出する。上りリンクメッセージは、パワーヘッドルーム報告（PHR）を搬送する。UEは、基地局への無線リソース制御（radio  resource  control,  RRC）接続確立要求を開始するために、上りリンク方向にmessage  3を送出する。
【００３４】
UEは、PHRをmessage  3に追加し、message  3を使用することにより、PHRを基地局に送出してもよく、それにより、基地局は、PHRに従ってUEのための上りリンクデータスケジューリング制御及び電力制御を実行できる。PHRを送出する前に、UEは、まず、message  3内で搬送されるPHRの内容を決定する。一般的に、PHRの内容は以下の方式で表される。
【００３５】
1.UEは、UEの上りリンク電力を推定し、推定上りリンク電力を決定し、推定上りリンク電力とUEの最大電力との間の差分値を決定し、決定された差分値を、PHRを表す内容として使用する。差分値を取得した後に、UEは、差分値を基地局に報告する。例えば、-23dBから40dBまでの64個の指示が存在してもよく、指示は、状況に従って低減されてもよく、それにより、message  3のサイズを低減する。
【００３６】
2.UEは、現在の上りリンク送信電力でサポートできるサブキャリア数を決定し、決定された最大サブキャリア数の値を、PHRを表す内容として使用する。UEは、最大サブキャリア数の値を取得し、その値を基地局に報告する。
【００３７】
任意選択で、サブキャリア数集合の値が指示されてもよく、それにより、送出される必要がある情報のビット数を低減する。例えば、12個のサブキャリアが存在するときに、指示のために少なくとも４ビットが必要になるが、指示のためにサブキャリア数集合が使用される場合、例えば、{1,4,8,12}の場合、指示のために２ビットのみが必要になる。
【００３８】
前述のPHRの内容をmessage  3に追加する方式に加えて、他の任意選択の方式は以下の通りである。
【００３９】
message  2内で、UEが特定の条件でPHR又は他の補助スケジューリング情報を基地局に送出することを決定するために、アイドル情報指示ビット又は新たに追加された情報指示ビットが使用される。情報指示ビットは、UEが前述の情報を基地局に送出する上りリンクリソースを決定するために更に使用されてもよい。送出される具体的なPHRの内容は前述したものであり、ここでは再び説明しない。
【００４０】
UEはまた、PHRを上りリンクチャネルに追加し、上りリンクチャネルを使用することにより、PHRを基地局に送出してもよく、それにより、基地局は、PHRに従ってUEのための上りリンクデータスケジューリング制御及び電力制御を実行できる。
【００４１】
S104.基地局は、UEの上りリンクメッセージを受信し、競合解決情報を返信するためにmessage  4を送出する。
【００４２】
この実施例では、PHRは、UEにより基地局に送出されるmessage  3内で搬送され、それにより、基地局は、UEが現在の上りリンクデータ送信を実行するときに、スケジューリング設定を実行するための基礎を適時に取得でき、UEのための電力制御及びスケジューリング情報をより正確に設定できる。これは、UEの上りリンク送信能力を超えるチャネルをUEに割り当てるのを回避し、それにより、上りリンク帯域幅の浪費を回避するか、或いはUEにより必要な上りリンク送信能力により必要とされるものより小さいUE帯域幅を割り当てるのを回避し、それにより、UEの上りリンク送信情報のロスを回避する。
【００４３】
本発明の実施例は、PHRを指示するための他の方法を提供する。以下に、図１を参照して本発明のこの実施例において提供される解決策を詳細に説明する。本発明のこの実施例における方法は、基地局及びユーザ装置により実行され、基地局側及びUE側のいずれかに対して独立した技術的解決策を構成してもよい。
【００４４】
この実施例において提供されるPHRを指示するための方法と、前述の実施例における方法との差は以下の通りである。
【００４５】
PHRを指示する情報は、前述の実施例におけるmessage  3の代わりに、S101においてUEにより基地局に送出されるランダムアクセスプリアンブル系列内で搬送される。
【００４６】
具体的には、１つ以上の情報指示ビットがランダムプリアンブル系列内で決定され、UEが特定の条件でPHR又は他の補助スケジューリング情報を基地局に送出することを決定するために使用される。情報指示ビットは、UEが前述の情報を基地局に送出する上りリンクリソースを決定するために更に使用されてもよい。これは、１ビットの指示を使用することにより実現できる。例えば、プリアンブル系列集合{c_1,c_2,...,c_n}について、UEが系列c_1〜c_n/2をプリアンブル系列として選択した場合、プリアンブル系列を受信した後に、基地局は、UEが0を送出し、そうでない場合、1と考える。
【００４７】
この実施例では、UEが特定の条件で上りリンク方向にPHRを送出することを示すために、PHRを指示する情報は、UEにより基地局に送出されたランダムアクセスプリアンブル系列内で搬送され、それにより、基地局は、UEが現在の上りリンクデータ送信を実行するときに、スケジューリング設定を実行するための基礎を適時に取得でき、UEのための電力制御及びスケジューリング情報をより正確に設定できる。これは、UEの上りリンク送信能力を超えるチャネルをUEに割り当てるのを回避し、それにより、上りリンク帯域幅の浪費を回避するか、或いはUEにより必要な上りリンク送信能力により必要とされるものより小さいUE帯域幅を割り当てるのを回避し、それにより、UEの上りリンク送信情報のロスを回避する。
【００４８】
図２は、前述の実施例における基地局の可能な概略構成図を示す。
【００４９】
基地局は、送信機／受信機1001と、コントローラ／プロセッサ1002と、メモリ1003と、通信ユニット1004とを含む。送信機／受信機1001は、前述の実施例における基地局とUEとの間の情報送出及び受信をサポートし、UEと他のUEとの間の無線通信をサポートするように構成される。コントローラ／プロセッサ1002は、UEとの通信のための様々な機能を実行する。上りリンクでは、UEからの上りリンク信号は、アンテナにより受信され、受信機1001により復調され、コントローラ／プロセッサ1102により更に処理され、それにより、UEにより送出されたサービスデータ及びシグナリング情報を回復する。下りリンクでは、サービスデータ及びシグナリングメッセージは、下りリンク信号を生成するために、コントローラ／プロセッサ1002により処理され、送信機1001により変調され、下りリンク信号は、アンテナによりUEに送出される。コントローラ／プロセッサ1002は、基地局を含む図１における処理プロセスを更に実行し、及び／又はこの出願に記載の技術の他のプロセスを実行するように構成される。メモリ1003は、基地局のプログラムコード及びデータを記憶するように構成される。通信ユニット1004は、基地局と他のネットワークエンティティとの間の通信をサポートするように構成される。
【００５０】
図３は、単に基地局の簡略化した設計を示しているに過ぎないことが理解され得る。実際の用途では、基地局は、如何なる数の送信機、受信機、プロセッサ、コントローラ、メモリ、通信ユニット等を含んでもよく、本発明を実現できる全ての基地局は、本発明の保護範囲内に入る。
【００５１】
図３は、前述の実施例におけるUEの可能な設計構成の簡略化した構成図である。UEは、送信機1101と、受信機1102と、コントローラ／プロセッサ1103と、メモリ1104と、モデムプロセッサ1105とを含む。
【００５２】
送信機1101は、（例えば、アナログ変換、フィルタリング、増幅及びアップコンバージョンによって）出力サンプリングを調整し、上りリンク信号を生成する。上りリンク信号は、アンテナを使用することにより、前述の実施例における基地局に送信される。下りリンクでは、アンテナは、前述の実施例における基地局により送信された下りリンク信号を受信する。受信機1102は、（例えば、フィルタリング、増幅、ダウンコンバージョン及びデジタル化によって）アンテナから受信した信号を調整し、入力サンプリングを提供する。モデムプロセッサ1105では、エンコーダ1106は、上りリンクにおいて送出されるべきサービスデータ及びシグナリングメッセージを受信し、（例えば、フォーマット化、符号化又はインターリーブによって）サービスデータ及びシグナリングメッセージを処理する。変調器1107は、（例えば、シンボルマッピング及び変調によって）符号化されたサービスデータ及びシグナリングメッセージを更に処理し、出力サンプリングを提供する。復調器1109は、（例えば、復調によって）入力サンプリングを処理し、シンボル推定を提供する。デコーダ1108は、（例えば、デインターリーブ及び復号化によって）シンボル推定を処理し、UEに送出される復号化されたデータ及びシグナリングメッセージを提供する。エンコーダ1106、変調器1107、復調器1109及びデコーダ1108は、統合されたモデムプロセッサ1105を使用することにより実現されてもよい。これらのユニットは、無線アクセスネットワークにより使用される無線アクセス技術（例えば、LTE及び他の進化型システムのアクセス技術）に従って処理を実行する。
【００５３】
コントローラ／プロセッサ1103は、UEの動作を制御及び管理し、前述の実施例においてUEにより実行される処理を実行するように構成される。例えば、コントローラ／プロセッサ1103は、受信したロングDRX周期に従ってページングを受信するように、及び／又は本発明に記載の技術の他の処理を実行するように、UEを制御するように構成される。例えば、コントローラ／プロセッサ1103は、UEにより、UEを含む図１における処理プロセスを実行することをサポートするように構成され、及び／又はこの出願に記載の技術の他のプロセスを実行するように構成される。メモリ1104は、UE110のプログラムコード及びデータを記憶するように構成される。
【００５４】
前述の実施例において、実施例の説明は、それぞれの焦点を有する点に留意すべきである。実施例において詳細に記載されていない部分については、他の実施例における関係する説明を参照する。さらに、当業者はまた、明細書に記載の全ての実施例が好ましい実施例であり、使用される動作及びモジュールが本発明に必ずしも必須ではないことも認識するべきである。
【００５５】
本発明の実施例における方法のステップの順序は調整されてもよく、ステップは実際の要件に従って結合又は低減されてもよい。
【００５６】
本発明の実施例におけるモジュールは、実際の要件に従って結合、分割又は低減されてもよい。
【００５７】
本発明における基地局、UE又はコアネットワーク装置の機能を実行するように構成されたコントローラ／プロセッサは、中央処理装置（CPU）、汎用プロセッサ、デジタルシグナルプロセッサ（DSP）、特定用途向け集積回路（ASIC）、フィールドプログラマブルゲートアレイ（FPGA）若しくは他のプログラム可能論理デバイス、トランジスタ論理デバイス、ハードウェアコンポーネント、又はこれらのいずれかの組み合わせでもよい。コントローラ／プロセッサは、本発明に開示された内容を参照して説明した様々な例示的な論理ブロック、モジュール及び回路を実現又は実行してもよい。代替として、プロセッサは、コンピューティング機能を実現するプロセッサの組み合わせ、例えば、１つ以上のマイクロプロセッサの組み合わせ、又はDSPとマイクロプロセッサとの組み合わせでもよい。
【００５８】
本発明に開示された内容を参照して説明した方法又はアルゴリズムのステップは、ハードウェアの方式で実現されてもよく、或いはプロセッサがソフトウェア命令を実行する方式で実現されてもよい。ソフトウェア命令は、対応するソフトウェアモジュールを含んでもよい。ソフトウェアモジュールは、RAMメモリ、フラッシュメモリ、ROMメモリ、EPROMメモリ、EEPROMメモリ、レジスタ、ハードディスク、取り外し可能ハードディスク、CD-ROM、又は当該技術分野における他の周知の記憶媒体に記憶されてもよい。例えば、記憶媒体は、プロセッサに結合され、それにより、プロセッサは、記憶媒体から情報を読み取ることができ、或いは情報を記憶媒体に書き込むことができる。明らかに、記憶媒体は、プロセッサのコンポーネントでもよい。プロセッサ及び記憶媒体は、ASICに位置してもよい。さらに、ASICは、ユーザ装置に位置してもよい。明らかに、プロセッサ及び記憶媒体は、個別のコンポーネントとしてユーザ装置に存在してもよい。
【００５９】
当業者は、前述の１つ以上の例において、本発明において記載した機能がハードウェア、ソフトウェア、ファームウェア又はこれらのいずれかの組み合わせにより実現されてもよいことを認識すべきである。本発明がソフトウェアにより実現されるときに、前述の機能は、コンピュータ読み取り可能媒体に記憶されてもよく、或いはコンピュータ読み取り可能媒体内の１つ以上の命令又はコードとして送信されてもよい。コンピュータ読み取り可能媒体は、コンピュータ記憶媒体及び通信媒体を含み、通信媒体は、コンピュータプログラムが１つの場所から他に送信されることを可能にするいずれかの媒体を含む。記憶媒体は、汎用又は専用コンピュータにアクセス可能ないずれか利用可能な媒体でもよい。
【００６０】
本発明の目的、技術的解決策及び利点について、前述の具体的な実施例において詳細に更に説明した。前述の説明は、単に本発明の具体的な実施例に過ぎず、本発明の保護範囲を限定することを意図するものではないことが理解されるべきである。本発明の真意及び原理内で行われる如何なる変更、等価置換又は改善も、本発明の保護範囲内に入るものとする。
【図１】
2019501600.tif 000003
【図２】
2019501600.tif 000004
【図３】
2019501600.tif 000005
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
パワーヘッドルーム報告（PHR）を指示するように構成されたユーザ装置（UE）であり、プロセッサと送信機とを含むユーザ装置であって、
前記プロセッサは、パワーヘッドルーム報告を決定するように構成され、
前記送信機は、ランダムアクセスプロセス内で第１のメッセージを基地局に送出するように構成され、前記第１のメッセージは、情報セグメントを含み、前記情報セグメントは、前記パワーヘッドルーム報告を指示するために使用されるユーザ装置。
【請求項２】
前記第１のメッセージは、前記ランダムアクセスプロセス内のメッセージ３であり、メッセージ３は、前記UEと前記基地局との間に無線リソース制御（RRC）接続を確立するために使用される、請求項１に記載のユーザ装置。
【請求項３】
前記PHRは、前記UEにより推定された上りリンク電力と、前記UEの最大電力との間の差分値を含む、請求項１又は２に記載のユーザ装置。
【請求項４】
前記PHRは、前記UEによりサポートされる最大サブキャリア数、サブキャリア数集合又は前記サブキャリア数集合内のいずれかの値を含む、請求項１又は２に記載のユーザ装置。
【請求項５】
パワーヘッドルーム報告（PHR）を指示するための方法であり、狭帯域のモノのインターネット（NB-IoT）システムにおいて使用される方法であって、
ユーザ装置（UE）により、パワーヘッドルーム報告を決定するステップと、
前記UEにより、ランダムアクセスプロセス内で第１のメッセージを基地局に送出するステップであり、前記第１のメッセージは、情報セグメントを含み、前記情報セグメントは、前記パワーヘッドルーム報告を指示するために使用されるステップと
を含む方法。
【請求項６】
前記第１のメッセージは、前記ランダムアクセスプロセス内のメッセージ３であり、メッセージ３は、前記UEと前記基地局との間に無線リソース制御（RRC）接続を確立するために使用される、請求項５に記載の方法。
【請求項７】
前記PHRは、前記UEにより推定された上りリンク電力と、前記UEの最大電力との間の差分値を含む、請求項５又は６に記載の方法。
【請求項８】
前記PHRは、前記UEによりサポートされる最大サブキャリア数、サブキャリア数集合又は前記サブキャリア数集合内のいずれかの値を含む、請求項５又は６に記載の方法。
【請求項９】
パワーヘッドルーム報告（PHR）を指示するために使用される装置であって、
請求項５乃至８のうちいずれか１項に記載の方法を実行するためのユニットを含む装置。
【請求項１０】
請求項１乃至４のうちいずれか１項に記載のユーザ装置（UE）を含む狭帯域のモノのインターネット（NB-IoT）通信システム。
【請求項１１】
コンピュータにより実行されたときに、前記コンピュータに対して請求項１乃至４のうちいずれか１項に記載の方法を実行させる命令を含むコンピュータ読み取り可能記憶媒体。
【請求項１２】
コンピュータに対して請求項１乃至４のうちいずれか１項に記載の方法を実行させるプログラム。
【手続補正２】
【補正対象書類名】明細書
【補正対象項目名】０００１
【補正方法】変更
【補正の内容】
【０００１】
本発明は、移動通信技術の分野に関し、パワーヘッドルーム報告を指示するための方法及び装置に関する。
【手続補正３】
【補正対象書類名】明細書
【補正対象項目名】０００２
【補正方法】変更
【補正の内容】
【０００２】
モノのインターネット（IoT）は、「接続されたモノのインターネット」である。IoTは、インターネットのユーザ側を任意の物体に拡張し、それにより、情報交換及び通信が任意の物体とその他のものとの間で実行できる。このような通信方式はまた、マシンタイプ通信（MTC）とも呼ばれ、通信ノードは、MTC端末と呼ばれる。モノのインターネットの典型的な適用シナリオは、スマートメータリング、スマートホーム等を含む。モノのインターネットは、複数のシナリオ、例えば、屋外／屋内シナリオ及び地上／地下シナリオに適用される必要がある。したがって、多くの特別な要件、例えば、カバレッジ拡張、多数の低レートデバイスのサポート、低コスト及び低エネルギー消費が、モノのインターネットの設計に課される。これらの特別な要件を満たすために、セルラネットワークにおいて極めて低複雑度及び低コストのモノのインターネットをサポートするための方法を研究するための新たな研究プロジェクトが3GPP  GERANの第62回会合で承認された。その比較的低コスト及び優れたカバレッジ拡張能力により、狭帯域のモノのインターネット（NB-IoT）解決策が3GPP  RANの第69回会合で承認され、R13リリースにおいて標準化されている。
【手続補正４】
【補正対象書類名】明細書
【補正対象項目名】０００３
【補正方法】変更
【補正の内容】
【０００３】
既存のロングタームエボリューション（LTE）通信システムでは、ユーザ装置（UE）及び基地局（eNodeB）は、互いに頻繁に通信し、ユーザ装置は、パワーヘッドルーム報告を基地局に周期的に報告し、基地局は、ユーザ装置により報告されたパワーヘッドルーム報告を重要な基礎として電力制御及びスケジューリングを実行する。しかし、NB-IoTシステムでは、ユーザ装置はより少ないサービスを有するため、LTEにおける既存のパワーヘッドルーム報告送信機構が再利用された場合、基地局は、ユーザ装置により実行される現在の上りリンクデータ送信のためのパワーヘッドルーム報告（PHR）を取得できず、したがって、ユーザ装置の現在の上りリンクデータ送信のためのスケジューリング及び電力制御を実行できない。
【手続補正５】
【補正対象書類名】明細書
【補正対象項目名】０００６
【補正方法】変更
【補正の内容】
【０００６】
可能な設計では、UEは、PHRをランダムアクセスプロセス内のメッセージ３に追加し、メッセージ３は、UEにより基地局への無線リソース制御（RRC）接続を確立するために使用される。
【手続補正６】
【補正対象書類名】明細書
【補正対象項目名】００１５
【補正方法】変更
【補正の内容】
【００１５】
可能な設計では、UEの構成は、送信機とプロセッサとを含む。プロセッサは、パワーヘッドルーム報告を決定するように構成され、送信機は、ランダムアクセスプロセス内のメッセージ３内でメッセージを基地局に送出するように構成され、メッセージは、パワーヘッドルーム報告を搬送し、パワーヘッドルーム報告は、UEにより基地局に送出されたメッセージ（例えば、message  3）の関係する情報セグメントにより搬送され得る。
【手続補正７】
【補正対象書類名】明細書
【補正対象項目名】００１７
【補正方法】変更
【補正の内容】
【００１７】
可能な設計では、基地局の構成は、プロセッサと受信機とを含む。受信機は、ユーザ装置により送出されたメッセージを受信するように構成され、メッセージは、パワーヘッドルーム報告情報を搬送し、パワーヘッドルーム報告情報は、UEにより基地局に送出されたmessage  3内で搬送されてもよく、プロセッサは、パワーヘッドルーム報告を取得するためにメッセージを解析し、解析によって取得されたパワーヘッドルーム報告に基づいてUEのスケジューリング情報又は電力制御情報を決定する。
【手続補正８】
【補正対象書類名】明細書
【補正対象項目名】００２１
【補正方法】変更
【補正の内容】
【００２１】
本発明の実施例における技術的解決策をより明確に説明するために、以下に、実施例を説明するために必要な添付図面を簡単に説明する。明らかに、以下の説明における添付図面は、単に本発明のいくつかの実施例を示しているに過ぎず、当業者は、創造的取り組みなしにこれらの添付図面から他の実現方式を導くことができる。全てのこれらの実施例又は実現方式は、本発明の保護範囲内に入る。
【図１】本発明に従ってパワーヘッドルーム報告を指示するための方法のフローチャートである。
【図２】本発明を実現する基地局の概略構成図である。
【図３】本発明を実現するUEの概略構成図である。
【手続補正９】
【補正対象書類名】明細書
【補正対象項目名】００２２
【補正方法】変更
【補正の内容】
【００２２】
以下に、添付図面を参照して本発明の実施例による技術的解決策を明確に説明する。明らかに、説明する実施例は、本発明の実施例の単なる一部であり、全部ではない。創造的取り組みなしに本発明の実施例に基づいて当業者により取得される全ての他の実施例は、本発明の保護範囲内に入るものとする。
【手続補正１０】
【補正対象書類名】明細書
【補正対象項目名】００２４
【補正方法】変更
【補正の内容】
【００２４】
この出願において、「ネットワーク」及び「システム」という用語は、通常では区別なく使用されるが、それらの意味は、当業者により理解され得る。この出願におけるユーザ装置UEは、様々なハンドヘルドデバイス、車載デバイス、ウェアラブルデバイス、又は無線通信機能を有するコンピューティングデバイス、又は無線モデムに接続された他の処理デバイス、及び様々な形式のユーザ装置（UE）、移動局（MS）、端末、端末装置等を含んでもよい。説明を簡単にするために、この出願において、前述の全てのデバイスは、ユーザ装置又はUEと呼ばれる。本発明における基地局（BS）は、UEのための無線通信機能を提供するために無線アクセスネットワークに配置された装置である。基地局は、様々な形式のマクロ基地局、マイクロ基地局、中継ノード、アクセスポイント等を含んでもよい。異なる無線アクセス技術を使用したシステムでは、基地局機能を有するデバイスは異なる名前を有してもよい。例えば、基地局機能を有するデバイスは、LTEネットワークにおいて進化型ノードB（eNB又はeNodeB）と呼ばれ、第３世代3GネットワークにおいてノードBと呼ばれ、その他同様である。説明を簡単にするために、この出願において、UEのための無線通信機能を提供する全ての前述の装置は、基地局又はBSと呼ばれる。
【手続補正１１】
【補正対象書類名】明細書
【補正対象項目名】００３２
【補正方法】変更
【補正の内容】
【００３２】
競合型ランダムアクセスプロセスでは、ランダムアクセス応答は、一時的に割り当てられたセル無線ネットワーク一時識別子（C-RNTI）情報を更に含んでもよい。
【手続補正１２】
【補正対象書類名】明細書
【補正対象項目名】００３３
【補正方法】変更
【補正の内容】
【００３３】
S103.ランダムアクセス応答を受信した後に、UEは、基地局によりUEに割り当てられた上りリンクリソース上で上りリンクメッセージを送出する。上りリンクメッセージは、パワーヘッドルーム報告（PHR）を搬送する。UEは、基地局への無線リソース制御（RRC）接続確立要求を開始するために、上りリンク方向にmessage  3を送出する。
【手続補正１３】
【補正対象書類名】明細書
【補正対象項目名】００４６
【補正方法】変更
【補正の内容】
【００４６】
１つ以上の情報指示ビットがランダムアクセスプリアンブル系列内で決定され、UEが特定の条件でPHR又は他の補助スケジューリング情報を基地局に送出することを決定するために使用される。情報指示ビットは、UEが前述の情報を基地局に送出する上りリンクリソースを決定するために更に使用されてもよい。これは、１ビットの指示を使用することにより実現できる。例えば、プリアンブル系列集合{c_1,c_2,...,c_n}について、UEが系列c_1〜c_n/2をプリアンブル系列として選択した場合、プリアンブル系列を受信した後に、基地局は、UEが0を送出したと考え、UEが系列(c_2/n)+1〜c_nをプリアンブル系列として選択した場合、プリアンブル系列を受信した後に、基地局は、UEが1を送出したと考える。
【手続補正１４】
【補正対象書類名】明細書
【補正対象項目名】００４９
【補正方法】変更
【補正の内容】
【００４９】
基地局は、送信機／受信機1001と、コントローラ／プロセッサ1002と、メモリ1003と、通信ユニット1004とを含む。送信機／受信機1001は、前述の実施例における基地局とUEとの間の情報送出及び受信をサポートし、基地局と他のUEとの間の無線通信をサポートするように構成される。コントローラ／プロセッサ1002は、UEとの通信のための様々な機能を実行する。上りリンクでは、UEからの上りリンク信号は、アンテナにより受信され、受信機1001により復調され、コントローラ／プロセッサ1002により更に処理され、それにより、UEにより送出されたサービスデータ及びシグナリング情報を回復する。下りリンクでは、サービスデータ及びシグナリングメッセージは、下りリンク信号を生成するために、コントローラ／プロセッサ1002により処理され、送信機1001により変調され、下りリンク信号は、アンテナによりUEに送出される。コントローラ／プロセッサ1002は、基地局を含む図１における処理プロセスを更に実行し、及び／又はこの出願に記載の技術の他のプロセスを実行するように構成される。メモリ1003は、基地局のプログラムコード及びデータを記憶するように構成される。通信ユニット1004は、基地局と他のネットワークエンティティとの間の通信をサポートするように構成される。
【手続補正１５】
【補正対象書類名】明細書
【補正対象項目名】００５０
【補正方法】変更
【補正の内容】
【００５０】
図２は、単に基地局の簡略化した設計を示しているに過ぎないことが理解され得る。実際の用途では、基地局は、如何なる数の送信機、受信機、プロセッサ、コントローラ、メモリ、通信ユニット等を含んでもよく、本発明を実現できる全ての基地局は、本発明の保護範囲内に入る。
【手続補正１６】
【補正対象書類名】明細書
【補正対象項目名】００５３
【補正方法】変更
【補正の内容】
【００５３】
コントローラ／プロセッサ1103は、UEの動作を制御及び管理し、前述の実施例においてUEにより実行される処理を実行するように構成される。例えば、コントローラ／プロセッサ1103は、受信したロングDRX周期に従ってページングを受信するように、及び／又は本発明に記載の技術の他の処理を実行するように、UEを制御するように構成される。例えば、コントローラ／プロセッサ1103は、UEにより、UEを含む図１における処理プロセスを実行することをサポートするように構成され、及び／又はこの出願に記載の技術の他のプロセスを実行するように構成される。メモリ1104は、UEのプログラムコード及びデータを記憶するように構成される。
【手続補正１７】
【補正対象書類名】明細書
【補正対象項目名】００５４
【補正方法】変更
【補正の内容】
【００５４】
前述の実施例において、実施例の説明は、それぞれの焦点を有する点に留意すべきである。実施例において詳細に記載されていない部分については、他の実施例における関係する説明を参照する。さらに、当業者はまた、明細書に記載の全ての実施例が実施例であり、使用される動作及びモジュールが本発明に必ずしも必須ではないことも認識するべきである。
【国際調査報告】
2019501600.tif 000006
2019501600.tif 000007
2019501600.tif 000008
2019501600.tif 000009
2019501600.tif 000010
2019501600.tif 000011
2019501600.tif 000012